(57)【要約】【課題】照明器具の側方の天井面がより均一に照射される天井直付け型照明器具を提供することにある。【解決手段】ソケットが取付けられ天井面に当接する当接面を有した器具本体と、ソケットに装着されるランプと、上端に内側に向かう取付け片を有し器具本体に取付けられる透光性のカバー取付け枠と、器具本体に対向しランプを覆うようにカバー取付け枠に取付けられる透光性のカバーと、を備えた天井直付け型照明器具において、前記器具本体は略平板状をなし、この器具本体の周縁に前記取付け片を固定したことを特徴とする。【選択図】　　　　図１
2004047394.tif 000002
【特許請求の範囲】
【請求項１】
ソケットが取付けられ天井面に当接する当接面を有した器具本体と、前記ソケットに装着されるランプと、上端に内側に向かう取付け片を有し前記器具本体に取付けられる透光性のカバー取付け枠と、前記器具本体に対向しランプを覆うように前記カバー取付け枠に取付けられる透光性のカバーと、を備えた天井直付け型照明器具において、前記器具本体は略平板状をなし、この器具本体の周縁に前記取付け片を固定したことを特徴とする天井直付け型照明器具。
【請求項２】
前記カバー取付け枠の下部にカバーを着脱自在に保持し得るカバー係止部を設けたことを特徴とする請求項１記載の天井直付け型照明器具。
【請求項３】
前記カバー係止部は、略水平方向に伸びる複数のカバー係止片により構成され、このカバー係止片にカバーを着脱自在に保持したことを特徴とする請求項２記載の天井直付け型照明器具。
【請求項４】
前記カバーの外周に略水平方向に伸びる複数のカバー水平片を設け、前記カバー係止片に着脱自在に保持したことを特徴とする請求項３記載の天井直付け型照明器具。
【請求項５】
前記器具本体の下面を熱が器具本体に吸収されやすい色としたことを特徴とする請求項１乃至４記載の天井直付け型照明器具。
【発明の詳細な説明】
【０００１】
【発明の属する技術分野】
本発明は、天井面に直付けされる天井直付け型照明器具に関する。
【０００２】
【従来の技術】
この種の天井直付け型照明器具としては、特開平１０−２２３０３０に開示されたものがある。図４はこれに開示された天井直付け型照明器具の一部を切り欠いた側面図である。このものは、天井面に固定される器具本体１と、器具本体１とランプ２を下側から着脱自在に覆う透光カバー装置２０と、を備えて構成されている。
【０００３】
器具本体１の外周には、複数の係止部１４が設けられており、その下側には、ソケットを介してランプ２が水平に装着されている。
【０００４】
透光カバー装置２０は、皿状に広がり、器具本体１よりも直径の大きい主透光カバー２１と、主透光カバー２１の外周部を保持する支持枠２５と、支持枠２５を保持しそこから上方に行くに従って径が小さくなるようにすぼまる円錐台状の補助透光カバー２６と、により構成されている。そして補助透光カバー２６の上端側の内周側には、器具本体１に設けた複数の係止部１４に対して、着脱自在に係止される内周縁部２７が設けられている。
【０００５】
このように構成された天井直付け型照明器具では、ランプ２から出た光は、主透光カバー２１を介して下向きに投射されるものと、補助透光カバー２６を介して斜め上向きに投射され、天井面を照射するものとがある。従って、このものによると天井面の暗がりが解消できるようになる。
【０００６】
【発明が解決しようとする課題】
ところが、上記した天井直付け型照明器具では、ランプ交換の際、まず、器具本体１の外周に設けられた係止部１４と透光カバー装置２０の補助透光カバー２６に設けられた内周縁部２７とを取外し、その後、ランプを交換し、再び、透光カバー装置２０の内周縁部２７を器具本体１に設けられた係止部１４に取付けることが行われていた。
【０００７】
しかし、この取付け作業において、係合部１４は、ほぼ天井面近傍に位置すること、さらに透光カバー装置２０と天井面との間の奥まった箇所に位置すること、などにより、透光カバー装置２０が間違いなく取付けられたかどうかを、係合部１４を目視して行うことは難しかった。従って、透光カバー装置２０の取付け確認は、手による取付けの感触により判断されていた。
【０００８】
また、この天井直付け型照明器具では、前記したように天井面の暗がりは解消できるが、ランプ２から出た光が係合部１４により遮られることがあり、その影が近傍の天井面に投影されることがあった。従って、天井面が均一に照射されずこれを改善する余地があった。
【０００９】
本発明は、上記事由に鑑みてなしたもので、その目的とするところは、天井直付け型照明器具の側方の天井面がより均一に照射される天井直付け型照明器具を提供することにある。
【００１０】
【課題を解決するための手段】
請求項１に係る発明は、ソケットが取付けられ天井面に当接する当接面を有した器具本体と、前記ソケットに装着されるランプと、上端に内側に向かう取付け片を有し前記器具本体に取付けられる透光性のカバー取付け枠と、前記器具本体に対向しランプを覆うように前記カバー取付け枠に取付けられる透光性のカバーと、を備えた天井直付け型照明器具において、前記器具本体は略平板状をなし、この器具本体の周縁に前記取付け片を固定したことを特徴とする。
【００１１】
請求項２に係る発明は、請求項１において、前記カバー取付け枠の下部にカバーを着脱自在に保持し得るカバー係止部を設けたことを特徴とする。
【００１２】
請求項３に係る発明は、請求項２において、前記カバー係止部は、略水平方向に伸びる複数のカバー係止片により構成され、このカバー係止片にカバーを着脱自在に保持したことを特徴とする。
【００１３】
請求項４に係る発明は、請求項３において、前記カバーの外周に略水平方向に伸びる複数のカバー水平片を設け、前記カバー係止片に着脱自在に保持したことを特徴とする。
【００１４】
請求項５に係る発明は、請求項１乃至４のいずれかにおいて、前記器具本体の下面を熱が器具本体に吸収されやすい色としたことを特徴とする。
【００１５】
【発明の実施の形態】
本発明の実施の形態を図１〜図３を用いて説明する。図１は天井直付け型照明器具の断面図、図２は器具本体の正面図、図３は係止部の要部斜視図である。
【００１６】
この天井直付け型照明器具（以下、照明器具と略称する。）は、ソケットが取付けられた器具本体１と、このソケットに装着されるランプ２と、器具本体１に取付けられる透光性のカバー取付け枠３と、器具本体１に対向しランプ２を覆うようにカバー取付け枠３に取付けられる透光性のカバー４と、を備えて構成されている。
【００１７】
器具本体１は、平板を打抜いて、絞り、折曲などの加工を施して略円板状に形成されている。そして、器具本体１の上面には、絞り加工を施すことにより周辺より円錐台状に盛り上がった当接面１ａが４箇所設けられている。また、器具本体１の下面でランプ２の内側には、ランプ２を点灯させるための安定器と点灯管が取付けられてあり、各々に配線が施されている。
【００１８】
カバー取付け枠３は、上端と下端に開口を有する円錐台状の形状をなし、透光性を有した合成樹脂材、例えばスチロール樹脂材により形成されている。そしてカバー取付け枠３の上端の開口には、略水平に内側に向かう取付け片３ａが設けられている。
【００１９】
カバー４は、皿状をなし、透光性を有した合成樹脂材、例えばスチロール樹脂材により形成されている。
【００２０】
ここで重要なことは、器具本体１は略平板状をなし、この器具本体１の周縁に取付け片３ａを固定したことである。さらに詳しくは、器具本体１の周縁に水平部１ｂを設け、この水平部１ｂとカバー取付け枠３の取付け片３ａとを固定したことである。
【００２１】
これを詳しくのべると、水平部１ｂは、器具本体１の周縁の全周にわたり平坦なリング状に設けられており、この水平部１ｂの上面とカバー取付け枠３の取付け片３ａの下面が接合するようにネジにより固定されている。
【００２２】
また、カバー４を着脱自在に保持するために、カバー取付け枠３の下端には、略水平方向に外側に伸びる複数のカバー係止片３ｂにより構成されたカバー係止部が設けられている。また、カバー４の外周には、略水平方向に内側に伸びる複数のカバー水平片４ｂが設けられている。そして、カバー係止片３ｂがカバー水平片４ｂを支持することにより、カバー４が取付けられている。
【００２３】
この照明器具におけるカバー４の取付は、まず、カバー４を器具本体１の下方よりランプ２を覆うように被せる。このときカバー４に設けられたカバー水平片４ｂが、カバー取付け枠３に設けられたカバー係止片３ｂを避けるようにしてカバー４を上方に押し当てる。この状態でカバー４を時計方向（図３のＹに示した方向）に回転させると、カバー取付け枠３のカバー係止片３ｂがカバー水平片４ｂとカバー４の下面との間に挿入され、カバー水平片４ｂのＸで示した箇所がカバー係止片３ｂに支持され、カバー４の取付けが完了する。
【００２４】
次に、この照明器具を点灯したときのランプ２からの光は、カバー４を介して下向きに投射されるものと、カバー取付け枠３介して斜め上向きに投射され、天井面を照射するものとがある。そして、天井面を照射する光により天井面の暗がりが解消できるようになる。
【００２５】
この実施の形態によると、器具本体１は略平板状をなし、この器具本体１の周縁に取付け片３ａを固定したことにより、ランプ２とカバー取付け枠３との間には、光を遮るものがなく、従って、天井直付け型照明器具の側方の天井面がより均一に照射されるようになる。さらに、カバー４を着脱自在に保持できるカバー係止部をカバー取付け枠３の下端に設けたことにより、カバー４の取付け位置が天井面より離れ、カバー４を取付ける際に、その係合箇所であるカバー係止部が目視にて確認しやすくなる。また、カバー取付け枠３の高さがカバー係止部の高さに左右されることもないため、さらに照明器具を薄くすることができる。
【００２６】
なお、照明器具をさらに薄くするために、器具本体１の下面を熱が器具本体１に吸収されやすい色、例えば黒色や濃紺としてもよい。これは照明器具を薄くすると、ランプ２や安定器からの熱が内部にこもり、安定器やソケットの許容温度を超えることがあるが、器具本体１の下面を黒色や濃紺とすることによりランプ２や安定器からの熱が器具本体１に吸収されやすくなり、さらにこれが天井面を通じて外部に放熱されやすくなり、照明器具の内部に熱がこもることを軽減できるからである。
【００２７】
【発明の効果】
請求項１記載の発明にあっては、ソケットが取付けられ天井面に当接する当接面を有した器具本体と、前記ソケットに装着されるランプと、上端に内側に向かう取付け片を有し前記器具本体に取付けられる透光性のカバー取付け枠と、前記器具本体に対向しランプを覆うように前記カバー取付け枠に取付けられる透光性のカバーと、を備えた天井直付け型照明器具において、前記器具本体は略平板状をなし、この器具本体の周縁に前記取付け片を固定したことにより、ランプとカバー取付け枠との間には、光を遮るものがなく、天井直付け型照明器具の側方の天井面がより均一に照射されるようになる。
【００２８】
請求項２記載の発明にあっては、前記カバー取付け枠の下部にカバーを着脱自在に保持し得るカバー係止部を設けたことにより、請求項１に記載した効果を奏するうえに、カバーの着脱が天井面より離れた位置であるカバー取付け枠の下部できるので、カバーを取付ける際に、その係合箇所を目視にて確認できる。
【００２９】
請求項３記載の発明にあっては、前記カバー係止部は、略水平方向に伸びる複数のカバー係止片により構成され、このカバー係止片にカバーを着脱自在に保持したことにより、請求項２に記載した効果をさらに高めるとともに、カバーを安定的な重力方向での支持とすることができる。
【００３０】
請求項４記載の発明にあっては、前記カバーの外周に略水平方向に伸びる複数のカバー水平片を設け、前記カバー係止片に着脱自在に保持したことにより、請求項３に記載したものと同じ効果を奏する。
【００３１】
請求項５記載の発明にあっては、前記器具本体の下面を熱が器具本体に吸収されやすい色としたことにより、請求項１乃至４に記載した効果を奏するうえに、さらに天井直付け型照明器具の厚みの薄いものとすることができる。
【図面の簡単な説明】
【図１】本発明の実施の形態に係る天井直付け型照明器具の断面図である。
【図２】同上の天井直付け型照明器具の器具本体の正面図である。
【図３】同上の天井直付け型照明器具の係止部を示す要部斜視図である。
【図４】従来例に係る天井直付け型照明器具の一部を切り欠いた側面図である。
【符号の説明】
１　　　器具本体
１ａ　　当接面
１ｂ　　水平部
２　　　ランプ
３　　　カバー取付け枠
３ａ　　取付け片
３ｂ　　カバー係止片
４　　　カバー
４ｂ　　カバー水平片
３０　　係止部
【図１】
2004047394.tif 000003
【図２】
2004047394.tif 000004
【図３】
2004047394.tif 000005
【図４】
2004047394.tif 000006